(57)【要約】【課題】打ち分けによる趣向性が低減されることを抑制可能な遊技機の提供を目的とする。【解決手段】本発明の遊技機１０は、遊技領域Ｒ１の下側領域Ｒ４における左端から中央部までの下側左領域Ｒ４Ａに第１の始動入賞口１４Ａを備え、下側領域Ｒ４の残りの部分である下側右領域Ｒ４Ｂに第３の始動入賞口１４Ｃ、第１大入賞口４１Ｋ、第２大入賞口５１Ｋを備えている。そして、遊技機１０には、下側左領域Ｒ４Ａと下側右領域Ｒ４Ｂとを仕切って、それら領域の間で遊技球が行き来することを抑制する仕切り壁３４が備えられている。【選択図】図３
2019097717.tif 000002
【特許請求の範囲】
【請求項１】
遊技球が流下可能な遊技領域を有する遊技盤と、
前記遊技領域における第１領域と第２領域とに遊技球を打ち分けて発射することが可能な発射手段と、
前記第１領域を流下する遊技球が入球可能な第１入球手段と、
前記第２領域を流下する遊技球が入球可能な第２入球手段と、
前記第１入球手段又は前記第２入球手段に遊技球が入球したことを条件にして遊技者に特典が付与されるようにする特典付与手段と、を有する遊技機であって、
前記第１領域と前記第２領域を仕切って、それら領域の間で遊技球が行き来することを抑制する流下抑制手段を備えた、遊技機。
【請求項２】
前記流下抑制手段は、前記遊技領域に立設された仕切り壁によって形成されている、請求項１に記載の遊技機。
【請求項３】
前記第１入球手段は、前記第２入球手段よりも下側に配置され、
前記仕切り壁には、その前記第１領域側と前記第２領域側を連通させる連通孔が形成され、
前記連通孔を通過する遊技球を前記第１入球手段より下側へ誘導する誘導部をさらに有する、請求項２に記載の遊技機。
【請求項４】
前記第２領域を流下する遊技球が入球可能な特別入球手段と、
前記特別入球手段に遊技球が入球したことを条件にして遊技者に前記特典とは異なる特典が付与されるようにする特別付与手段と、を有し、
前記特別入球手段は、前記連通孔に隣接するように配置された、請求項３に記載の遊技機。
【請求項５】
前記仕切り壁は、前記遊技領域を囲む包囲壁のうち遊技球を受け止めて流下させることが可能な受止部位との間に遊技球が通過可能な隙間を有している、請求項２乃至４のうち何れか１項に記載の遊技機。
【請求項６】
前記第１入球手段と前記第２入球手段は常時開放している、請求項１乃至５のうち何れか１項に記載の遊技機。
【発明の詳細な説明】
【技術分野】
【０００１】
本発明は、遊技球が流下可能な遊技領域を有する遊技機に関する。
【背景技術】
【０００２】
特許文献１には、センター役物の右側領域と左側領域とに遊技球を打ち分けさせて別々の入賞口を狙わせることで、遊技に趣向性を付与した遊技機が示されている。
【先行技術文献】
【特許文献】
【０００３】
【特許文献１】特開２０１６−１８９８３７号（段落［０１４１］、［０１４８］、図１）
【発明の概要】
【発明が解決しようとする課題】
【０００４】
特許文献１の遊技機では、遊技球が打ち込まれる領域とは別の領域の入賞口に遊技球が入球すると、打ち分けによる趣向性が低減されるという問題が考えられる。
【０００５】
本発明は、上記事情に鑑みてなされたもので、打ち分けによる趣向性が低減されることを抑制可能な遊技機の提供を目的とする。
【課題を解決するための手段】
【０００６】
第１の手段は、遊技球が流下可能な遊技領域を有する遊技盤と、前記遊技領域における第１領域と第２領域とに遊技球を打ち分けて発射することが可能な発射手段と、前記第１領域を流下する遊技球が入球可能な第１入球手段と、前記第２領域を流下する遊技球が入球可能な第２入球手段と、前記第１入球手段又は前記第２入球手段に遊技球が入球したことを条件にして遊技者に特典が付与されるようにする特典付与手段と、を有する遊技機であって、前記第１領域と前記第２領域を仕切って、それら領域の間で遊技球が行き来することを抑制する流下抑制手段を備えた、遊技機である。
【発明の効果】
【０００７】
本発明によれば、打ち分けによる趣向性が低減されることを抑制可能となる。
【図面の簡単な説明】
【０００８】
【図１】第１実施形態に係る遊技機の正面図
【図２】遊技盤の正面図
【図３】遊技領域の右下部分の拡大図
【図４】遊技盤本体と入賞ユニットの斜視図
【図５】入賞ユニットを左側から見た斜視図
【図６】入賞ユニットを右側から見た斜視図
【図７】第１開閉扉と第２開閉扉を取り除いた入賞ユニットを左側から見た斜視図
【図８】第２大入賞口の入口を説明するための正面図
【図９】仕切り壁の連通孔が閉塞された場合の第２大入賞口の入口を説明するための正面図
【図１０】（Ａ）開放状態の第１大入賞口の側断面図、（Ｂ）閉塞状態の第１大入賞口の側断面図
【図１１】（Ａ）第１開閉扉の斜視図、（Ｂ）第２切欠部と第１開閉扉の誘導突部の位置関係を説明するための平断面図
【発明を実施するための形態】
【０００９】
［第１実施形態］
図１に示されるように、本実施形態の遊技機１０は、パチンコ遊技機であって、前側が前面枠１０Ｚにて覆われており、その前面枠１０Ｚに形成されたガラス窓１０Ｗを通して図２に示される遊技盤１１の前面側に形成された遊技領域Ｒ１が視認可能になっている。なお、以下の説明において、特記しない限り「右」及び「左」とは、遊技機１０を前方から見た場合の「右」及び「左」を指すものとする。
【００１０】
図１に示されるように、前面枠１０Ｚのうちガラス窓１０Ｗより下方には、上皿２６と下皿２７が上下２段にして設けられ、下皿２７の右側には操作ハンドル２８が設けられている。操作ハンドル２８が回動操作されると、上皿２６に収容された遊技球が遊技領域Ｒ１に向けて弾き出される。
【００１１】
図２に示されるように、遊技領域Ｒ１は全体が略円形状となっていて、ガイドレール１２により囲まれている。遊技領域Ｒ１の中央には、表示開口１１Ｋが貫通形成され、この表示開口１１Ｋを通して、表示装置１３の表示画面１３Ｇが視認可能となっている。
【００１２】
表示開口１１Ｋの開口縁には、表示装飾枠２３が取り付けられている。表示装飾枠２３は、遊技盤１１の前面側から表示開口１１Ｋに嵌め込まれ、遊技盤１１の前面から突出して遊技領域Ｒ１を流下する遊技球が表示装飾枠２３の内側に進入することを規制している。
【００１３】
遊技領域Ｒ１のうち表示装飾枠２３の下方における左右方向の中央部には、第１の始動入賞口１４Ａ及びアウト口１６が、上から順に並べて設けられている。第１の始動入賞口１４Ａは、装飾部材１５の一部として形成されている。具体的には、装飾部材１５は縦長のブロック状に形成され、第１の始動入賞口１４Ａは、遊技球が１つだけ入球可能な開口部を上面に有するポケット構造をなして、装飾部材１５の上端寄り部分を構成している。第１の始動入賞口１４Ａに遊技球が入球すると特別図柄当否判定が行われ、その特別図柄当否判定の結果が表示画面１３Ｇに表示される。
【００１４】
表示装飾枠２３の右側には、始動ゲート１８が設けられると共に、表示装飾枠２３の右辺部のうち始動ゲート１８より下方位置には、第２の始動入賞口１４Ｂが形成されている。始動ゲート１８は、遊技球が潜って通過可能な門形構造をなし、遊技球が始動ゲート１８を通過すると普通図柄当否判定が行われる。また、第２の始動入賞口１４Ｂは、右側に開口し、可動片１４Ｈによって開閉される。具体的には、可動片１４Ｈは、通常は、鉛直に起立した閉位置に配置され、上述の普通図柄当否判定の結果が当りとなったことを条件にして、下端部を中心に回動し、横倒しとなった開位置（図２に示される位置）に配置される。開位置に配置された可動片１４Ｈは、上側から流下してきた遊技球を受け止めて第２の始動入賞口１４Ｂへと案内する。第１の始動入賞口１４Ａと同様に、第２の始動入賞口１４Ｂに遊技球が入球したときも、特別図柄当否判定が行われ、その結果が表示画面１３Ｇに表示される。
【００１５】
遊技領域Ｒ１のうち第２の始動入賞口１４Ｂより下側の部分には、第３の始動入賞口１４Ｃが設けられている。第３の始動入賞口１４Ｃは、第１の始動入賞口１４Ａと同様のポケット構造をなしている。即ち、第１の始動入賞口１４Ａ及び第３の始動入賞口１４Ｃは、常に開放され、第２の始動入賞口１４Ｂは、可動片１４Ｈによって開閉される。第３の始動入賞口１４Ｃの上面の開口部に遊技球が入球したときも、特別図柄当否判定が行われ、その特別図柄当否判定の結果が表示画面１３Ｇに表示される。
【００１６】
第３の始動入賞口１４Ｃの下側には、左下がりに傾斜し且つ複数の球落下口２５Ａを有する傾斜誘導部２５が形成されている。傾斜誘導部２５は、表示装飾枠２３の右側に形成された右側流下路２４Ｒを流下してきた遊技球を受け止めて左側へと誘導し、球落下口２５Ａから落下させる。なお、本実施形態では、傾斜誘導部２５は、第３の始動入賞口１４Ｃの下方に配置される樹脂ブロック１９の上面１９Ｊと、樹脂ブロック１９の左側に複数の釘を列状に並べて構成される道釘と、で構成されている。
【００１７】
傾斜誘導部２５には、球落下口２５Ａが２つ設けられている。左側の球落下口２５Ａの下方には、第１大入賞口４１Ｋと第２大入賞口５１Ｋが上下に並べて設けられている。また、右側の球落下口２５Ａの下方には、遊技球を受け入れて第２大入賞口５１Ｋより下方に流下させる迂回路２５Ｕが設けられている。なお、第２大入賞口５１Ｋは、第１の始動入賞口１４Ａの略真横に位置する。
【００１８】
図３に示されるように、第１大入賞口４１Ｋは、横長矩形状をなして前方に開放し、第１開閉扉４１によって開閉される。第１開閉扉４１は、第１大入賞口４１Ｋと同様の横長矩形状に形成されてその下端縁を中心として回動可能になっていて、通常は、略鉛直に起立した状態に保持されて第１大入賞口４１Ｋを閉塞している。第１開閉扉４１が回動して前倒しにされると、遊技球が第１開閉扉４１を案内にして第１大入賞口４１Ｋに入球可能となる。第２大入賞口５１Ｋは、第１大入賞口４１Ｋより横長な矩形状をなして前方に開放し、第２開閉扉５１によって開閉される。第２開閉扉５１は、第２大入賞口５１Ｋと同様の横長矩形状に形成されてその下端縁を中心として回動可能になっていて、通常は、略鉛直に起立した状態に保持されて第２大入賞口５１Ｋを閉塞している。第２開閉扉５１が回動して前倒しにされると、遊技球が第２大入賞口５１Ｋを案内にして第２大入賞口５１Ｋに入球可能となる。なお、第２大入賞口５１Ｋは、第１大入賞口４１Ｋに隣接するように配置され、第１大入賞口４１Ｋの右端縁と第２大入賞口５１Ｋの右端縁は一直線上に配置されている。
【００１９】
第１大入賞口４１Ｋと第２大入賞口５１Ｋは、上述した特別図柄当否判定の結果が当りとなったことを条件にして行われる大当り遊技の実行中に開放される。具体的には、大当り遊技が実行されると、第１開閉扉４１と第２開閉扉５１の何れか一方が前方に倒される。これにより、第１大入賞口４１Ｋと第２大入賞口５１Ｋの何れか一方に遊技球が入球可能となる。ここで、何れか一方の大入賞口４１Ｋ，５１Ｋを入賞可能状態（所定期間内に繰り返し行われる開閉動作も含む）としてから入賞不可状態とするまでの（開放状態から閉塞状態までの）動作を「ラウンド」と称すると、１回の大当り遊技は、所定回数（例えば、１５ラウンド）のラウンドが実行されるまで継続する。１回のラウンドは、大入賞口４１Ｋ，５１Ｋの開放時間が予め設定された上限時間に達するか、又は、規定上限数（例えば、１０個）の遊技球が入賞すると終了する。なお、本実施形態では、第１大入賞口４１Ｋは、所定のラウンド（例えば、３ラウンド目）で開放される。
【００２０】
図２に示されるように、遊技領域Ｒ１には、遊技球が入球可能な一般入賞口２１が複数設けられている。一般入賞口２１は、第１の始動入賞口１４Ａと同様のポケット構造をなし、遊技球を受け入れ可能となっている。詳細には、一般入賞口２１は、遊技領域Ｒ１における左下部分と第２の始動入賞口１４Ｂの右側に配置されている。なお、第１の始動入賞口１４Ａ、第２の始動入賞口１４Ｂ、第３の始動入賞口１４Ｃ、第１大入賞口４１Ｋ、第２大入賞口５１Ｋ及び一般入賞口２１の何れかに遊技球が入球すると、各入賞口に対応して設定された所定数の賞球が上皿２６に払い出される。また、上記の何れの入賞口にも入球しなかった遊技球は、遊技領域Ｒ１の下端に配置されたアウト口１６に取り込まれる。
【００２１】
図４に示されるように、第１の始動入賞口１４Ａ、第３の始動入賞口１４Ｃ、第１大入賞口４１Ｋ及び第２大入賞口５１Ｋは、入賞ユニット３０に備えられている。これらの入賞口１４Ａ，１４Ｃ，４１Ｋ，５１Ｋは、遊技盤本体１１Ｈに形成された開口部３０Ａに入賞ユニット３０が前側から挿入組み付けされることによって、遊技領域Ｒ１に配設される。なお、遊技盤本体１１Ｈに組み付けられた入賞ユニット３０は、ガイドレール１２の右下部分に隣接する（図２参照）。
【００２２】
図５及び図６に示されるように、入賞ユニット３０は、遊技盤本体１１Ｈの前面と略面一に配置されて遊技領域Ｒ１の一部を構成するベース盤３１と、ベース盤３１の前側に配置されて遊技領域Ｒ１を流下する遊技球の流路を形成する前側流路構成体３２と、ベース盤３１の後側に配置されて各入賞口１４Ａ，１４Ｃ，４１Ｋ，５１Ｋに入球した遊技球の流路を構成する後側流路構成体３３と、を備えている。そして、ベース盤３１の外縁部の少なくとも一部が、遊技盤本体１１Ｈの前面に重ねて固定される重なり片３１Ｈを形成する。第１の始動入賞口１４Ａを一部に有する装飾部材１５と第３の始動入賞口１４Ｃは、前側流路構成体３２に形成され、第１大入賞口４１Ｋと第２大入賞口５１Ｋは、ベース盤３１に貫通形成されている。なお、上述した樹脂ブロック１９と迂回路２５Ｕは、前側流路構成体３２に形成されている。
【００２３】
ベース盤３１は、前側から見て略逆Ｌ字状に形成され、縦辺部３１Ａと、縦辺部３１Ａの下端から右側に延びる横辺部３１Ｂと、を備えている。第１大入賞口４１Ｋと第２大入賞口５１Ｋは、横辺部３１Ｂに形成されている。詳細には、第１大入賞口４１Ｋは、横辺部３１Ｂの上端寄り部分に形成され、ベース盤３１のうち第１大入賞口４１Ｋより上側に配置される部分は、上述した重なり片３１Ｈを構成する。
【００２４】
前側流路構成体３２は、ベース盤３１の横辺部３１Ｂを上下に縦断するように配置された仕切り壁３４を備えている。そして、仕切り壁３４の左側に、第１の始動入賞口１４Ａが配置され、仕切り壁３４の右側に、第１大入賞口４１Ｋ、第２大入賞口５１Ｋ、迂回路２５Ｕ、樹脂ブロック１９及び第３の始動入賞口１４Ｃが配置される。仕切り壁３４は、ガイドレール１２の下端部との間に遊技球が１個ずつ通過可能な下端隙間３４Ｋを形成する（図３参照）。これにより、仕切り壁３４の右側を流下してきた遊技球は、下端隙間３４Ｋを通ってアウト口１６へと流下可能となっている。
【００２５】
図５及び図６に示されるように、前側流路構成体３２は、ベース盤３１の横辺部３１Ｂの下端部から突出する下端突部３５を備えている。下端突部３５の上面は、第１大入賞口４１Ｋと第２大入賞口５１Ｋの何れにも入球しなかった遊技球を受け止めて左側へ転動させる転動路３６を構成する。転動路３６は、迂回路２５Ｕに連絡して、迂回路２５Ｕを通過してきた遊技球についても左側へ転動させる。また、下端突部３５は、仕切り壁３４の右側に配置され、仕切り壁３４との間に、転動路３６を転動してきた遊技球を下端隙間３４Ｋ（図３参照）へ誘導する誘導排出路３７を形成する。
【００２６】
詳細には、図３に示されるように、下端突部３５の左側面３５Ｌは、左下がりに傾斜している。また、仕切り壁３４は、第１大入賞口４１Ｋ及び第２大入賞口５１Ｋの左側で略鉛直に延びる上側仕切り壁３４Ａと、上側仕切り壁３４Ａの下側で下端突部３５の左側面３５Ｌと略平行に延びる下側仕切り壁３４Ｂと、からなる。そして、下側仕切り壁３４Ｂと下端突部３５の左側面３５Ｌとの間に、左下がりに傾斜した誘導排出路３７が形成されている。
【００２７】
図５及び図６に示されるように、仕切り壁３４（具体的には、上側仕切り壁３４Ａ）には、遊技球が通過可能な大きさの連通孔３８が形成されている。また、仕切り壁３４の左側には、連通孔３８の上縁部と下縁部から左下方に延びる１対の傾斜壁３９Ｈ，３９Ｈが設けられている。そして、１対の傾斜壁３９Ｈ，３９Ｈの間に、連通孔３８を通過した遊技球を左下方へと誘導する誘導路３９が形成されている。なお、１対の傾斜壁３９Ｈ，３９Ｈは、仕切り壁３４に連絡していてもよいし、連絡していなくてもよい。また、１対の傾斜壁３９Ｈ，３９Ｈが仕切り壁３４に連絡していた場合、仕切り壁３４の一部として１対の傾斜壁３９Ｈ，３９Ｈが備えられていてもよい。
【００２８】
図７に示されるように、後側流路構成体３３は、第１大入賞口４１Ｋに入球した遊技球を受け入れる第１収容部屋４２と、第２大入賞口５１Ｋに入球した遊技球を受け入れる第２収容部屋５２と、を備えている。第１収容部屋４２に受け入れられた遊技球は、第１収容部屋４２の側壁４２Ｈに形成された第１排出口４３から図示しない第１排出路に排出される。第２収容部屋５２に受け入れられた遊技球は、第２収容部屋５２の底壁５２Ｂに形成された第２排出口５３から図示しない第２排出路に排出される。
【００２９】
また、後側流路構成体３３は、第１の始動入賞口１４Ａに入球した遊技球を排出するための排出路３３ＨＡと、第３の始動入賞口１４Ｃに入球した遊技球を排出するための排出路３３ＨＣ（図６参照）と、を備えている。なお、図示はしないが、後側流路構成体３３は、第１開閉扉４１を駆動する第１駆動源を第１収容部屋４２の後側に備え、第２開閉扉５１を駆動する第２駆動源を第２収容部屋５２の後側に備えている。
【００３０】
［遊技機１０の遊技性について］
図２を参照して、遊技機１０の遊技機１０の遊技性について説明する。遊技機１０には、遊技状態として、通常遊技状態と、特別図柄当否判定での当りを条件として大当り遊技終了後に突入する特別遊技状態と、が設けられている。特別遊技状態では、遊技球が始動ゲート１８を通過したときに行われる普通図柄当否判定で当りとなる確率が通常遊技状態よりも高くなっている。従って、遊技機１０では、通常遊技状態のときは、第１の始動入賞口１４Ａ又は第３の始動入賞口１４Ｃに遊技球を入球させ、特別遊技状態のときは、第２の始動入賞口１４Ｂに遊技球を入球させる。第１の始動入賞口１４Ａに遊技球を入球させるためには、遊技領域Ｒ１のうち表示装飾枠２３の左側領域Ｒ２に遊技球を流下させる。他方、第２の始動入賞口１４Ｂ又は第３の始動入賞口１４Ｃに遊技球を入球させるためには、遊技領域Ｒ１のうち表示装飾枠２３の右側領域Ｒ３に遊技球を流下させる。左側領域Ｒ２と右側領域Ｒ３への遊技球の打ち分けは、操作ハンドル２８の回動量を調整することで行われる。なお、以下では、左側領域Ｒ２に遊技球を流下させる打ち方を「左打ち」と、右側領域Ｒ３に遊技球を流下させる打ち方を「右打ち」と、適宜、呼ぶことにする。
【００３１】
遊技機１０では、大当り遊技が実行されると、第１大入賞口４１Ｋ又は第２大入賞口５１Ｋが開放され、その開放された大入賞口に遊技球を入球させることで、遊技者に上記した特典とは異なる特典（具体的には、大当り遊技による出玉や大当り遊技終了後に突入する特別遊技状態）が付与される。第１大入賞口４１Ｋ及び第２大入賞口５１Ｋは遊技領域Ｒ１の右下部分に配置されていることから、これらの大入賞口４１Ｋ，５１Ｋに遊技球を入球させるためには、右打ちをして右側領域Ｒ３に遊技球を流下させる。ここで、遊技領域Ｒ１における表示装飾枠２３の下側領域Ｒ４のうちその左端から左右方向の中央部までの領域を下側左領域Ｒ４Ａと称し、下側領域Ｒ４の右側部分を下側右領域Ｒ４Ｂと称すると、第１の始動入賞口１４Ａは下側左領域Ｒ４Ａに属し、第１大入賞口４１Ｋ及び第２大入賞口５１Ｋは下側右領域Ｒ４Ｂに属する。従って、左打ち時には、遊技球は、主として、左側領域Ｒ２と下側左領域Ｒ４Ａとからなる第１領域ＲＦを流下することになり、右打ち時には、遊技球は、主として、右側領域Ｒ３と下側右領域Ｒ４Ｂとからなる第２領域ＲＳを流下することになる。
【００３２】
上述したように、遊技機１０では、第１の始動入賞口１４Ａ又は第３の始動入賞口１４Ｃに遊技球が入球すると、特別図柄当否判定が行われ、その結果が当りになると、大当り遊技が実行される。即ち、遊技機１０では、第１の始動入賞口１４Ａへの入球を条件にして遊技者に付与される特典（具体的には、特別図柄当否判定）と、第３の始動入賞口１４Ｂへの入球を条件にして遊技者に付与される特典（具体的には、特別図柄当否判定）とが同じになっている。従って、遊技機１０では、通常遊技状態のときに左打ちと右打ちの何れを選択しても特典を得ることが可能となり、通常遊技状態の遊技の多様化が図られている。
【００３３】
ところで、通常遊技状態で左打ちをしているときに第２の始動入賞口１４Ｂ又は第３の始動入賞口１４Ｃに遊技球が入球したり、通常遊技状態で右打ちをしているときに第１の始動入賞口１４Ａに遊技球が入球したりすると、遊技球を打ち分けていることの意義が喪失する可能性がある。また、大当り遊技の実行中に第１の始動入賞口１４Ａに遊技球が入球すると、大当り遊技の終了後に右打ちで第２の始動入賞口１４Ｂ又は第３の始動入賞口１４Ｃに遊技球を入球させる予定であった遊技者の楽しみを奪う可能性がある。そこで、遊技機１０では、仕切り壁３４によって、左打ち時に遊技球が流下する第１領域ＲＦと右打ち時に遊技球が流下する第２領域ＲＳとの間での遊技球の行き来を抑制するように構成されている。
【００３４】
図３に示されるように、遊技領域Ｒ１において、仕切り壁３４は、表示装飾枠２３とガイドレール１２との間に架け渡されるように配置される。表示装飾枠２３の下辺部の右側部分には、前側に迫り出したブロック部２３Ｂが備えられていて（図２参照）、仕切り壁３４の上端がブロック部２３Ｂに近接配置されている。これにより、仕切り壁３４の上を遊技球が飛び越えることが困難となっている。
【００３５】
仕切り壁３４の下端部は、第１の始動入賞口１４Ａ、第３の始動入賞口１４Ｃ、第１大入賞口４１Ｋ及び第２大入賞口５１Ｋの何れの入賞口よりも下側に配置されている。従って、仕切り壁３４とガイドレール１２との間の下端隙間３４Ｋを通過する遊技球が、何れかの入賞口１４Ａ，１４Ｃ，４１Ｋ，５１Ｋに入球することは困難となっている。
【００３６】
ここで、上述したように、仕切り壁３４には、遊技球が通過可能な大きさの連通孔３８が形成されているが、第２領域ＲＳ（詳細には、下側右領域Ｒ４Ｂ）から連通孔３８を通過する遊技球は、誘導路３９によって左下方へと誘導される。そして、第１の始動入賞口１４Ａは、誘導路３９の延長線上よりも上側に配置されているので、誘導路３９によって誘導された遊技球が第１の始動入賞口１４Ａに入球することが困難となっている。また、誘導路３９は、連通孔３８の縁部から左下方に延びる１対の傾斜壁３９Ｈ，３９Ｈによって構成されるので、第１領域ＲＦ（詳細には、下側左領域Ｒ４Ａ）を流下する遊技球は、それら１対の傾斜壁３９Ｈ，３９Ｈによって連通孔３８への入球を規制される。さらに、本実施形態では、連通孔３８の大きさは、遊技球が１つずつ通過可能な大きさとなっているので、そもそも、遊技球が連通孔３８に入り難くなっている。
【００３７】
なお、誘導路３９の延長線上に、第１の始動入賞口１４Ａを一部に有する装飾部材１５の下端寄り部分が配置される。ここで、図５及び図６に示されるように、装飾部材１５は、その前面を構成する装飾プレート１５Ｐが右側壁１５Ｒに対して張り出した構造になっている。言い換えれば、装飾部材１５の右側壁１５Ｒは、装飾プレート１５Ｐの右側の端縁に対して、左側へ奥まって配置されている。これにより、誘導路３９の末端と装飾部材１５との間で遊技球が流下可能なスペースを大きくすることが可能となり、誘導路３９を通過してきた遊技球をスムーズに流下させることが可能となる。なお、仮に、装飾プレート１５Ｐの右側の端縁を装飾部材１５の右側壁１５Ｒに合わせると、装飾プレート１５Ｐの面積が小さくなってしまい、装飾プレート１５Ｐの装飾機能低下を招く可能性がある。また、本実施形態では、装飾プレート１５Ｐが左右対称に形成されているが、装飾プレート１５Ｐの右側の端縁を装飾部材１５の右側壁１５Ｒに合わせると、装飾プレート１５Ｐが左右非対称となり、装飾プレート１５Ｐの美観を損ねる可能性がある。
【００３８】
図３及び図８に示されるように、第２大入賞口５１Ｋは、仕切り壁３４に隣接する。具体的には、第２大入賞口５１Ｋの上端寄り部分が連通孔３８の真横に配置される。ここで、仮に、図９に示されるように、仕切り壁３４が連通孔３８を備えない構成になっていると、第２開閉扉５１が回動して第２大入賞口５１Ｋが開放されたときに、第２開閉扉５１に受け止められた遊技球が第２開閉扉５１の左側へ流下することが困難となり、第２大入賞口５１Ｋへの入球が著しく容易になる。しかしながら、本実施形態では、仕切り壁３４が連通孔３８を備えることにより、第２開閉扉５１に受け止められた遊技球が第２開閉扉５１の左側へ流下可能となり、第２大入賞口５１Ｋへの過度な入球が抑制される。
【００３９】
また、連通孔３８の有無は、第２大入賞口５１Ｋの入口の大きさを変化させる。ここで、入賞口の入口は、「入賞口又は当該入賞口に連なる遊技釘等（遊技部材）で構成される遊技球の流下経路のうち、入賞口から最も離れた位置にあるもの」で定義され、「入賞口に連なる遊技釘等」とは、遊技釘間を遊技球が通過できないように遊技釘等を連続配置したもののことをいう。また、入賞口の入口を定義する際には、「入賞口内に、当該入賞口に連なる遊技釘等（遊技部材）に連なっていない遊技釘があってはならない」という条件を満たす必要がある。本実施形態では、第２開閉扉５１及び仕切り壁３４が、「入賞口に連なる遊技釘等」に相当する。
【００４０】
本実施形態のように、仕切り壁３４が連通孔３８を備える場合、第２大入賞口５１Ｋの入り口は以下のように定義される。即ち、図８に示されるように、前倒しにされた第２開閉扉５１の右端位置を右端位置Ｐ０とし、その右端位置Ｐ０から水平に延ばした線分Ｈ１（図８に示す二点鎖線）と仕切り壁３４との交点を交差点Ｐ１とする。そして、交差点Ｐ１が仕切り壁３４に沿って上側に移動するように、線分Ｈ１を第２開閉扉５１の右端位置Ｐ０を中心に時計方向に回動させると、線分Ｈ１が連通孔３８の下端縁と交わる。このときの線分Ｈ１が第２大入賞口５１Ｋの入賞境界線分Ｎ１となり、第２大入賞口５１Ｋの実質的な入口となる。
【００４１】
他方、仕切り壁３４が連通孔３８を備えない場合、第２大入賞口５１Ｋの入り口は以下のように定義される。即ち、先の説明と同様にして、図９に示されるように、前倒しにされた第２開閉扉５１の右端位置を右端位置Ｐ０とし、その右端位置Ｐ０から水平に伸ばした線分Ｈ１（図９に示す二点鎖線）と仕切り壁３４との交点を交差点Ｐ１とする。そして、交差点Ｐ１が仕切り壁３４、表示装飾枠２３のブロック部２３Ｂ及びブロック部２３Ｂに連なる遊技釘７１群に沿って上側に移動するように、線分Ｈ１を第２開閉扉１の右端位置Ｐ０を中心にして時計方向に回動させると、線分Ｈ１が、遊技釘７１群との間に左側の球落下口２５Ａを形成する遊技釘７２Ａに接する。このとき、線分Ｈ１は、表示装飾枠２３のブロック部２３Ｂに連なる遊技釘７１群のうち遊技釘７１Ａと交わる。そして、このときの線分Ｈ１が第２大入賞口５１Ｋの入賞境界線分Ｎ２となり、第２大入賞口５１Ｋの実質的な入り口となる。
【００４２】
図８と図９の比較から明らかなように、仕切り壁３４が連通孔３８を備えない場合の第２大入賞口５１Ｋの入口（図９の入賞境界線分Ｎ２を参照）は、仕切り壁３４が連通孔３８を備える場合の第２大入賞口５１Ｋの入口（図８の入賞境界線分Ｎ１を参照）よりも小さくなる。ここで、大入賞口の入口の大きさは、５５ｍｍを越え１３５ｍｍ以下に規定されているため、仕切り壁３４が連通孔３８を備えない場合には、第２大入賞口５１Ｋの入口が上記の範囲外となって、第２大入賞口５１Ｋが大入賞口に該当しなくなる可能性がある。本実施形態では、仕切り壁３４が連通孔３８を備えることで、第２大入賞口５１Ｋの入口の大きさが上記の範囲内となり、第２大入賞口５１Ｋが大入賞口に該当するようになっている。
【００４３】
本実施形態の遊技機１０の構成では、第１領域ＲＦ（詳細には、下側左領域Ｒ４Ａ）と第２領域ＲＳ（詳細には、下側右領域Ｒ４Ｂ）の間で遊技球の行き来が仕切り壁３４によって抑制されるので、第１領域ＲＦ（詳細には、左側領域Ｒ２）に打ち込まれた遊技球が第２の始動入賞口１４Ｂ又は第３の始動入賞口１４Ｃに入球したり、第２領域ＲＳ（詳細には、右側領域Ｒ３）に打ち込まれた遊技球が第１の始動入賞口１４Ａに入球したりすることが抑制される。これにより、打ち分けによる遊技の趣向性の低減が抑制される。特に、遊技機１０では、第１の始動入賞口１４Ａと第３の始動入賞口１４Ｃは、常時開放した構造になっているので、第１の始動入賞口１４Ａと第３の始動入賞口１４Ｃの打ち分けが遊技者の趣向に依ることになり、その遊技者の趣向を損ねることが抑制される。
【００４４】
また、本実施形態では、仕切り壁３４に連通孔３８を備えることによって、第２領域ＲＳ（詳細には、下側右領域Ｒ４Ｂ）から第１領域ＲＦ（詳細には、下側左領域Ｒ４Ａ）へ遊技球が流下することを許容しつつ、連通孔３８を通過する遊技球を誘導路３９によって第１の始動入賞口１４Ａより下側へ誘導することで、その遊技球の第１の始動入賞口１４Ａへの入球を防止可能となっている。しかも、本実施形態では、連通孔３８と同じ高さ位置に配置される第２大入賞口５１Ｋが仕切り壁３４に隣接するので、第２大入賞口５１Ｋを幅広に形成しつつ、第２大入賞口５１Ｋへの過度な入球が抑制されている。なお、連通孔３８を通過する遊技球が第１の始動入賞口１４Ａに入賞可能な構成であってもよく、例えば、誘導路３９の延長線上又は誘導路３９の延長線上よりも下側に第１の始動入賞口１４Ａが設けられていてもよい。この場合であっても、第２領域ＲＳを流下してきた遊技球は仕切り壁３４に設けられた連通孔３８を通過しなければ第１の始動入賞口１４Ａに入賞困難となるので、仕切り壁３４によって第１の始動入賞口１４Ａへの入賞が抑制されることとなる。
【００４５】
また、仕切り壁３４は、遊技領域Ｒ１を囲むガイドレール１２との間に下端隙間３４Ｋを有するので、第２領域ＲＳ（詳細には、下側右領域Ｒ４Ｂ）を流下してきた遊技球を、第１領域ＲＦ（下側左領域Ｒ４Ａ）に備えたアウト口１６から排出することが可能となる。即ち、第１領域ＲＦを流下してきた遊技球を排出するための排出口と第２領域ＲＳを流下してきた遊技球の排出口の共通化が図られている。
【００４６】
［第１大入賞口４１Ｋでの球噛みについて］
遊技機１０では、第１大入賞口４１Ｋが閉じるときに、起立姿勢に戻る第１開閉扉４１と第１大入賞口４１Ｋの開口縁（特に、第１大入賞口４１Ｋの上側に配される部分）との間に遊技球が挟まれて、球噛みが発生する虞がある。そこで、遊技機１０では、図１０（Ａ）及び図１０（Ｂ）に示されるように、第１大入賞口４１Ｋの開口縁に、遊技球を受け入れ可能な球受容凹部６０が形成されている。
【００４７】
図７、図１０（Ａ）及び図１０（Ｂ）に示されるように、球受容凹部６０は、第１大入賞口４１Ｋに連設された第１の切欠部６１を備えている。具体的には、第１の切欠部６１は、遊技球１個分の幅を有し、第１大入賞口４１Ｋから上側に延びている。この第１の切欠部６１は、重なり片３１Ｈのうち第１大入賞口４１Ｋの上縁部から上側に張り出した部分の一部を切除してなる。重なり片３１Ｈのうち第１の切欠部６１の開口縁を形成する部分（具体的には、第１の切欠部６１を横方向に挟む部分）の前側を向く面は、第１の切欠部６１へ近づくにつれて後側へ向かうように傾斜したガイド面３１Ｇ（図１１（Ｂ）参照）となっている。なお、本実施形態では、第１の切欠部６１は、重なり片３１Ｈの張り出し方向の全体に亘って形成されているが、第１大入賞口４１Ｋに連設されればよく、例えば、第１大入賞口４１Ｋから張り出し方向の途中位置まで形成されてもよい。
【００４８】
ここで、第１開閉扉４１が第１大入賞口４１Ｋを閉塞した状態で第１収容部屋４２と対向する面を第１開閉扉４１の裏面と呼ぶことにすると、第１開閉扉４１の裏面は、第１開閉扉４１が前倒しになったときに、遊技球を受け止め可能となる。そして、図１１（Ａ）に示されるように、第１開閉扉４１の裏面には、受け止めた遊技球を第１大入賞口４１Ｋの幅方向中央側に誘導する誘導突部４１Ｔが設けられている。即ち、第１開閉扉４１に受け止められた遊技球は、誘導突部４１Ｔによって第１大入賞口４１Ｋの中央部へと誘導されることになる。そうすると、第１の切欠部６１は、第１大入賞口４１Ｋの中央部の近傍にのみ配置すれば足りる。そして、本実施形態では、第１の切欠部６１が第１大入賞口４１Ｋの幅方向の中央部に連設されることで、球受容凹部６０の無駄な設置が抑えられている。
【００４９】
具体的には、第１開閉扉４１の裏面の両側部には、第１開閉扉４１の裏面に受け止められた遊技球が横に落ちることを抑制する１対のサイド突部４１Ｓ，４１Ｓが設けられている。誘導突部４１Ｔは、１対のサイド突部４１Ｓ，４１Ｓに対応して１対備えられ、第１開閉扉４１のうち回動軸部４１Ｊに近い側に寄せて配置されている。各誘導突部４１Ｔは、回動軸部４１Ｊへ近づくにつれて幅広となる形状（例えば、三角形状や台形状や扇形状）に形成されている。なお、図１０（Ｂ）に示されるように、前倒しにされた第１開閉扉４１を上側から見たときに、左側の誘導突部４１Ｔは、重なり片３１Ｈの左側のガイド面３１Ｇの延長線上に配置される。
【００５０】
また、図７及び図１１（Ｂ）に示されるように、重なり片３１Ｈのうち第１の切欠部６１の近傍には、傾斜突部６５が設けられている。傾斜突部６５の前面は、第１の切欠部６１へ近づくにつれて後側へ向かうように傾斜する誘導傾斜面６５Ｍを形成する。具体的には、傾斜突部６５は、第１の切欠部６１の右側に配置され、傾斜突部６５の左端部が第１の切欠部６１に近接している。
【００５１】
図７、図１０（Ａ）及び図１０（Ｂ）に示されるように、球受容凹部６０は、第１収容部屋４２の天井壁４２Ｔに形成されて第１大入賞口４１Ｋに連絡する第２の切欠部６２を備えている。第２の切欠部６２は、第１の切欠部６１とほぼ等幅に形成され、天井壁４２Ｔの前端から後側へ延びている。
【００５２】
図１１（Ｂ）に示されるように、第２の切欠部６２の内面には、後側へ向かうにつれて第２の切欠部６２を幅狭にする傾斜部６２Ｋが形成されている。具体的には、第２の切欠部６２は、後側で幅狭となる略台形状に形成され、その台形の斜辺を形成する部分の内面が傾斜部６２Ｋとなっている。
【００５３】
また、図１０（Ａ）及び図１０（Ｂ）に示されるように、球受容凹部６０は、遊技盤本体１１Ｈにおける開口部３０Ａ（図４参照）の内面と入賞ユニット３０（詳細には、後側流路構成体３３の第１収容部屋４２）との間に形成される隙間６３を備えている。この隙間６３は、第１の切欠部６１の後側かつ第２の切欠部６２の上側に配置されて、第１の切欠部６１と第２の切欠部６２に連通する。
【００５４】
本実施形態の遊技機１０では、第１開閉扉４１が閉まるときに（図１０（Ａ）から図１０（Ｂ）への変化を参照）、第１開閉扉４１と第１大入賞口４１Ｋの開口縁との間の隙間に遊技球が挟まれても、その遊技球を球受容凹部６０に受け入れて該隙間から逃がすことができるので、球噛みの発生を抑制可能となる。
【００５５】
また、本実施形態では、球受容凹部６０が、第１大入賞口４１Ｋに連設された第１の切欠部６１だけでなく、第１収容部屋４２を画成する天井壁４２Ｔに形成された第２の切欠部６２を備えることで、球受容凹部６０が第１大入賞口４１Ｋから第１収容部屋４２の奥側へ広がり、球受容凹部６０に遊技球を受け入れ易くなっている。これにより、球噛みの更なる抑制が可能となる。しかも、第２の切欠部６２の内面に、第１大入賞口４１Ｋから遠ざかるにつれて第２の切欠部６２を幅狭にする傾斜部６２Ｋが形成されていることで、遊技球が第２の切欠部６２の奥側へ誘導され易くなる。
【００５６】
さらに、本実施形態では、球受容凹部６０が、遊技盤本体１１Ｈの開口部３０Ａの内面と入賞ユニット３０との間に形成される隙間６３を備えることで、球受容凹部６０の遊技球の受け入れが一層容易となり、球噛みの一層の抑制が図られている。
【００５７】
また、本実施形態では、第１大入賞口４１Ｋの開口縁のうち第１の切欠部６１と近接する部分に設けられた傾斜突部６５の前面が、第１の切欠部６１に近づくにつれて後側へ向かうように傾斜した誘導傾斜面６５Ｍとなっているので、第１開閉扉４１と第１大入賞口４１Ｋの開口縁との間に挟まれた遊技球を球受容凹部６０に誘導することが可能となる。
【００５８】
以下、本実施形態の遊技機１０から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００５９】
＜特徴Ａ群＞
以下の特徴Ａ群は、「遊技球が流下可能な遊技領域を有する」遊技機に関し、「特許文献Ａ（特開２０１６−１８９８３７号（段落［０１４１］、［０１４８］、図１））では、センター役物の右側領域と左側領域とに遊技球を打ち分けさせて別々の入賞口を狙わせることで、遊技に趣向性を付与している。」という背景技術について、「特許文献Ａの遊技機では、遊技球が打ち込まれる領域とは別の領域の入賞口に遊技球が入球すると、打ち分けによる趣向性が低減されるという問題が考えられる。」という課題をもってなされたものである。
【００６０】
［特徴Ａ１］
遊技球が流下可能な遊技領域（遊技領域Ｒ１）を有する遊技盤（遊技盤１１）と、
前記遊技領域における第１領域（第１領域ＲＦ）と第２領域（第２領域ＲＳ）とに遊技球を打ち分けて発射することが可能な発射手段（操作ハンドル２８）と、
前記第１領域を流下する遊技球が入球可能な第１入球手段（第１の始動入賞口１４Ａ）と、
前記第２領域を流下する遊技球が入球可能な第２入球手段（第２の始動入賞口１４Ｂ、第３の始動入賞口１４Ｃ）と、
前記第１入球手段又は前記第２入球手段に遊技球が入球したことを条件にして遊技者に特典（特別図柄当否判定）が付与されるようにする特典付与手段と、を有する遊技機（遊技機１０）であって、
前記第１領域と前記第２領域を仕切って、それら領域の間で遊技球が行き来することを抑制する流下抑制手段（仕切り壁３４）を備えた、遊技機。
【００６１】
本特徴に示す構成では、第１領域と第２領域の間で遊技球の行き来が抑制されるので、第１領域に打ち込まれた遊技球が第２入球手段に入球したり、第２領域に打ち込まれた遊技球が第１入球手段に入球したりすることが抑制される。これにより、打ち分けによる趣向性が低減されることが抑制される。
【００６２】
［特徴Ａ２］
前記流下抑制手段は、前記遊技領域に立設された仕切り壁（仕切り壁３４）によって形成されている、特徴Ａ１に記載の遊技機。
【００６３】
流下抑制手段は、遊技領域に植設された複数の障害釘によって形成されてもよいし、遊技領域に突設された複数の樹脂突部によって形成されてもよいし、本特徴に示されるように、遊技領域に立設された仕切り壁によって形成されてもよい。なお、仕切り壁によって形成される場合には、第１領域と第２領域を確実に仕切ることができる。
【００６４】
［特徴Ａ３］
前記第１入球手段は、前記第２入球手段より下側に配置され、
前記仕切り壁には、その前記第１領域側と前記第２領域側を連通させる連通孔（連通孔３８）が形成され、
前記連通孔を通過する遊技球を前記第１入球手段より下側へ誘導する誘導部（誘導路３９）をさらに有する、特徴Ａ２に記載の遊技機。
【００６５】
本特徴に示す構成によれば、第２領域から第１領域へ遊技球が流下することを許容しつつ、その遊技球の第１入球手段への入球を防止可能となる。
【００６６】
［特徴Ａ４］
前記第２領域を流下する遊技球が入球可能な特別入球手段（第２大入賞口５１Ｋ）と、
前記特別入球手段に遊技球が入球したことを条件にして遊技者に前記特典とは異なる特典（大当り遊技）が付与されるようにする特別付与手段と、を有し、
前記特別入球手段は、前記連通孔に隣接するように配置された、特徴Ａ３に記載の遊技機。
【００６７】
本特徴に示す構成によれば、第１入球手段又は第２入球手段への入球に基づく特典とは異なる特典を遊技者に付与するための特別入球手段を第２領域に配置することが可能となる。ここで、特別入球手段が仕切り壁の近くに配置されると、仕切り壁によって特別入球手段への遊技球の入球が著しく容易になるという問題が生じるところ、本特徴の構成では特別入球手段が連通孔に隣接するように配置されるので、連通孔から遊技球を逃がすことが可能となり、特別入球手段への入球が著しく容易になることが抑制される。
【００６８】
［特徴Ａ５］
前記仕切り壁は、前記遊技領域を囲む包囲壁（ガイドレール１２）のうち遊技球を受け止めて流下させることが可能な受止部位との間に遊技球が通過可能な隙間（下端隙間３４Ｋ）を有している、特徴Ａ２乃至Ａ４のうち何れか１に記載の遊技機。
【００６９】
本特徴に示す構成では、第１領域を流下してきた遊技球を遊技領域から排出するための排出口と第２領域を流下してきた遊技球を遊技領域から排出するための排出口を共通にすることが可能となる。
【００７０】
［特徴Ａ６］
前記第１入球手段と前記第２入球手段（第３の始動入賞口１４Ｃ）は常時開放している、特徴Ａ１乃至Ａ５のうち何れか１に記載の遊技機。
【００７１】
本特徴に示す構成によれば、第１入球手段と第２入球手段の何れの入球手段にも遊技球を入球させ易くなる。
【００７２】
［特徴Ａ７］
遊技球が流下可能な遊技領域（遊技領域Ｒ１）を有する遊技盤（遊技盤１１）と、
前記遊技領域に配設されて、前記遊技領域を右側領域（右側領域Ｒ３）と左側領域（左側領域Ｒ２）とに区画するセンター役物（表示装飾枠２３）と、
前記センター役物の下側領域（下側領域Ｒ４）に配置され、前記右側領域と前記左側領域のうち一方の領域（左側領域Ｒ２）を流下する遊技球が入球可能な第１入球手段（第１の始動入賞口１４Ａ）と、
前記右側領域と前記左側領域のうち他方の領域（右側領域Ｒ３）を流下する遊技球が入球可能な第２入球手段（第２の始動入賞口１４Ｂ、第３の始動入賞口１４Ｃ）と、
前記第１入球手段又は前記第２入球手段に遊技球が入球したことを条件にして遊技者に特典（特別図柄当否判定）が付与されるようにする特典付与手段と、を有する遊技機（遊技機１０）であって、
前記下側領域のうち前記第１入球手段よりも前記他方の領域側の部分に、遊技球が左右に行き来することを抑制する流下抑制手段（仕切り壁３４）を備えた、遊技機。
【００７３】
本特徴に示す構成では、下側領域のうち第１入球手段よりも他方の領域側の部位で、遊技球の左右の行き来が抑制されるので、一方の領域に打ち込まれた遊技球が第２入球手段に入球したり、他方の領域に打ち込まれた遊技球が第１入球手段に入球したりすることが抑制される。これにより、打ち分けによる趣向性が低減されることが抑制される。
【００７４】
［特徴Ａ８］
遊技球が流下可能な遊技領域（遊技領域Ｒ１）を有する遊技盤（遊技盤１１）と、
前記遊技領域における第１領域（第１領域ＲＦ）と第２領域（第２領域ＲＳ）とに遊技球を打ち分けて発射することが可能な発射手段（操作ハンドル２８）と、
前記第１領域を流下する遊技球が入球可能な入球手段（第１の始動入賞口１４Ａ）と、
前記第２領域を流下する遊技球が入球可能な特別入球手段（第１大入賞口４１Ｋ、第２大入賞口５１Ｋ）と、
前記入球手段に遊技球が入球したことを条件にして遊技者に特典（特別図柄当否判定）が付与されるようにする付与手段と、
前記特別入球手段に遊技球が入球したことを条件にして遊技者に前記特典とは異なる特典（大当り遊技）が付与されるようにする特別付与手段と、を有する遊技機（遊技１０）であって、
前記第１領域と前記第２領域を仕切って、それら領域の間で遊技球が行き来することを抑制する流下抑制手段（仕切り壁３４）、を備えた遊技機。
【００７５】
本特徴に示す構成では、第１領域と第２領域の間で遊技球の行き来が抑制されるので、第１領域に打ち込まれた遊技球が第２入球手段に入球したり、第２領域に打ち込まれた遊技球が第１入球手段に入球したりすることが抑制される。これにより、打ち分けによる趣向性が低減されることが抑制される。
【００７６】
なお、特徴Ａ７，Ａ８に示す構成に、特徴Ａ２〜Ａ６に示す構成が組み合わされてもよい。
【００７７】
［特徴Ａ群に含まれる他の実施形態］
特徴Ａ群には、上記第１実施形態の他に、例えば、以下に示される実施形態も含まれる。
【００７８】
（１）仕切り壁３４と第２大入賞口５１Ｋとの間に遊技球が流下可能な隙間がある場合（具体的には、仕切り壁３４と第２大入賞口５１Ｋとの間隔が遊技球１つ分以上である場合）、仕切り壁３４に連通孔３８を備えなくてもよい。
【００７９】
（２）特徴Ａ３における誘導部は、遊技領域Ｒ１に植設された障害釘によって形成されてもよいし、遊技領域Ｒ１に突設された樹脂突部によって形成されてもよい。
【００８０】
（３）特徴Ａ３における連通孔は、上記第１実施形態のように、遊技球が１つずつ通過可能な大きさであってもよいし、複数の遊技球が同時に通過可能な大きさであってもよい。
【００８１】
（４）特徴Ａ５において、仕切り壁と包囲壁の受け止め部位との間の隙間は、遊技球が１つずつ通過可能な大きさであってもよいし、複数の遊技球が同時に通過可能な大きさであってもよい。
【００８２】
（５）下側右領域Ｒ４Ｂにもアウト口１６を備える場合には、仕切り壁３４がガイドレール１２との間に下端隙間３４Ｋを有さない構成であってもよい。
【００８３】
（６）特徴Ａ８においては、第３の始動入賞口１４Ｃを備えない構成としてもよい。また、第１大入賞口４１Ｋと第２大入賞口５１Ｋの何れか一方のみを備えてもよい。
【符号の説明】
【００８４】
１０    遊技機
１１    遊技盤
１４Ａ    第１の始動入賞口
１４Ｂ    第２の始動入賞口
１４Ｃ    第３の始動入賞口
２８    操作ハンドル
３４    仕切り壁
３８    連通孔
３９    誘導路
４１Ｋ    第１大入賞口
５１Ｋ    第２大入賞口
Ｒ１    遊技領域
Ｒ２    左側領域
Ｒ３    右側領域
Ｒ４    下側領域
ＲＦ    第１領域
ＲＳ    第２領域
【図１】
2019097717.tif 000003
【図２】
2019097717.tif 000004
【図３】
2019097717.tif 000005
【図４】
2019097717.tif 000006
【図５】
2019097717.tif 000007
【図６】
2019097717.tif 000008
【図７】
2019097717.tif 000009
【図８】
2019097717.tif 000010
【図９】
2019097717.tif 000011
【図１０】
2019097717.tif 000012
【図１１】
2019097717.tif 000013